(57)【要約】      （修正有）【課題】外観、質感が良好で、衝撃エネルギーを効果的に吸収して保護する筐体のコーナー強化構造を有する電子装置を提供する。【解決手段】電子装置は、筐体１とコーナー構造２とを備える。筐体は、コーナー部１０と、コーナー部に隣接する両側辺１１とを有する。筐体は、外面と、外面に対向して平行な内面と、コーナー部に位置して外面及び内面にそれぞれ接続され、階層状曲面である側面とを含む。コーナー構造はコーナー部１０に嵌設されており、隣接する両側辺１１と切り揃える弧状側辺２０を有し、弧状側辺と反対する側と筐体の側面とは互いに嵌合され、コーナー構造は高強度、高弾性の強化材料からなる構造である。【選択図】図１
0003224106.tif 000002
【実用新案登録請求の範囲】
【請求項１】
コーナー部と、前記コーナー部に隣接する両側辺とを有し、外面と、前記外面と平行な内面と、前記コーナー部に位置して前記外面及び前記内面にそれぞれ接続され、階層状曲面である側面とを含む筐体と、
前記コーナー部に嵌設されており、隣接する前記両側辺と切り揃える弧状側辺を有し、前記弧状側辺に対向する側と前記筐体の前記側面とが互いに嵌合されており、強化材料構造であるコーナー構造と、
を備える電子装置。
【請求項２】
前記外面の面積は前記内面の面積よりも大きい、
請求項１に記載の電子装置。
【請求項３】
前記側面は嵌合凹溝を有し、前記コーナー構造は前記弧状側辺に対向する側に嵌合凸部を有し、前記嵌合凸部はこれらの側辺が位置する水平面と平行して延び、前記コーナー構造と前記コーナー部とを互いに嵌合させる、
請求項１に記載の電子装置。
【請求項４】
前記側面は、これらの側辺が位置する水平面と平行して延びる位置決め凸部を有し、
前記コーナー構造は、対応する位置決め凹溝を有し、
前記コーナー構造を前記コーナー部に位置決めさせる、
請求項１に記載の電子装置。
【請求項５】
前記筐体との間に前記コーナー構造が挟設されているプレートをさらに備える、
請求項１に記載の電子装置。
【請求項６】
前記プレートは前記電子装置の台座又は表示スクリーンである、
請求項５に記載の電子装置。
【請求項７】
前記コーナー構造を貫通して前記コーナー構造を前記筐体に締め付ける少なくとも１つの結合素子をさらに備える、
請求項１に記載の電子装置。
【請求項８】
前記少なくとも１つの結合素子は締付けネジである、
請求項７に記載の電子装置。
【請求項９】
前記コーナー構造はチタン、アルミニウム及び液体金属の少なくとも１つを含む、
請求項１に記載の電子装置。
【請求項１０】
前記コーナー構造の強度係数は前記筐体の強度係数よりも大きい、
請求項１に記載の電子装置。
【考案の詳細な説明】
【技術分野】
【０００１】
本実用新案は、電子装置に関し、特に筐体のコーナー強化構造を有する電子装置に関する。
【背景技術】
【０００２】
従来の電子装置では、主にエッジカバーで枠を被覆するという方式により、ケースベゼルの周囲に緩衝材料を貼り合わせて耐衝撃の目的を達成している。例えば、ケーシングの縁に緩衝材料を貼付し、その高展延性、高反発弾性により衝撃エネルギーを吸収して電子装置本体を保護する効果を達成する。
【０００３】
しかし、緩衝材料の殆どは高分子材料であり、それで保護する金属ケースよりも、緩衝材料自身の質感及び外観上の加工可能性が劣る。これよって、製品全体の外観の一致性が悪くなり、製品の外観、質感に影響を与え、ひいては、消費者に悪印象を与え、購買欲求を低下させてしまう。また、従来の方法では、接着剤又はゴム糊で高弾性材料のエッジカバーを製品のケースの縁に粘着するが、環境条件が変わる場合に、接着剤が失効するといった信頼性の問題が発生しやすい。
【考案の概要】
【０００４】
これに鑑みて、本考案の一部の実施例は電子装置を提供する。
【０００５】
本考案の一実施例に係る電子装置は、筐体とコーナー構造とを備える。筐体は、コーナー部と、コーナー部に隣接する両側辺とを有する。筐体は、外面と、外面に対向して平行な内面と、コーナー部に位置して外面及び内面にそれぞれ接続され、階層状曲面である側面とを含む。コーナー構造はコーナー部に嵌設されており、コーナー構造は隣接する両側辺と切り揃える弧状側辺を有し、コーナー構造の弧状側辺とは反対する側と筐体の側面とは互いに嵌合されており、コーナー構造は強化材料構造である。
【０００６】
これによって、コーナー部に嵌設されているコーナー構造は、電子装置が受けた衝撃のエネルギーを効果的に吸収して筐体の側面に伝達することができる。機構設計によりコーナー構造と筐体との間の支え面を内部に隠し、電子装置が受けた外部衝撃のエネルギーを内部の支え面に伝達することで、支え面は、構造上で微変形が発生して衝撃エネルギーを吸収し、電子装置の外観完全性を維持し、落下による筐体の外観にくぼみが生じるなどの問題を回避する。
【０００７】
以下、具体的な実施例により、添付図面を参照して詳しく説明し、本考案の目的、技術内容、特徴及びその達成する効果が一層明らかになる。
【図面の簡単な説明】
【０００８】
【図１】本考案の一実施例に係る電子装置の斜視模式図である。
【図２】本考案の一実施例に係る電子装置のＡＡ’断面線に沿った部分拡大模式図である。
【図３】本考案の一実施例に係る電子装置の斜視模式図である。
【図４】本考案の一実施例に係る電子装置のＢＢ’断面線に沿った部分拡大模式図である。
【図５】本考案の一実施例に係る電子装置の上面分解模式図である。
【図６】本考案の一実施例に係る電子装置の底面分解模式図である。
【考案を実施するための形態】
【０００９】
以下、本考案の各実施例を詳しく説明しつつ、図面を例示として参照する。明細書の記述において、本考案を全面的に理解させるために、特定の細部を多く提供するが、本考案は、一部又は全部の特定の細部を省略する前提でも実施できる可能性がある。図面において、同一又は類似の部材は、同一又は類似の符号で表される。特に注意すべきなのは、図面は、模式的なものに過ぎず、部材の実際的なサイズや数量を表すものではなく、図面を簡潔にするために、完全に描かれていない細部もある。
【００１０】
図１を参照し、図１は、本考案の一実施例に係る電子装置の斜視模式図である。本考案の一実施例に係る電子装置１００は、筐体１と、コーナー構造２とを備える。筐体１は、コーナー部１０と、両側辺１１とを有し、コーナー部１０は、隣接する両側辺１１で挟設されてなり、つまり、筐体１は、複数のコーナー部１０と、各コーナー部１０の両側に隣接する複数の側辺１１とを有する。コーナー構造２は、コーナー部１０に設けられている。少なくとも一実施例において、電子装置は、ノートパソコン、タブレットＰＣ又は携帯装置などであってもよく、例を挙げると、筐体１は、対応的に開閉可能な上ケース１ａ及び下ケース１ｂを有する。したがって、本実施例において、電子装置１００は、８つのコーナー部１０にそれぞれ設けられている８つのコーナー構造２を含む。しかし、本開示の内容はこれに限らず、選択的に筐体の任意の数量のコーナー部１０のみに対応するコーナー構造２を設けてもよい。一実施例において、電子装置は多角形であってもよく、隣接する両側辺１１の間の夾角は必要に応じて設計でき、また、コーナー構造２を衝突しやすいコーナー部１０に嵌設する。本実施例において、電子装置は、矩形の外観を持つので、隣接する両側辺１１は互いに垂直となる。
【００１１】
本実施例において、弧状側辺２０は、コーナー構造２の外縁に位置して筐体１に対向して配置されており、弧状側辺２０は、隣接する両側辺１１と切り揃え、コーナー構造２の長さ又は幅は、例えば１５センチメートルであってもよいが、これに限らない。言い換えると、コーナー構造２は、外部に接触可能な弧状側辺２０を有する。コーナー構造２は、高強度、高弾性の金属材質を採用し、外部衝撃からのエネルギーを効果的に吸収することができる。本実施例において、コーナー構造２は強化材料構造であり、一実施例において、コーナー構造２の強度係数は筐体１の強度係数よりも大きい。例を挙げると、コーナー構造２は、チタン、アルミニウム及び液体金属などの金属材質を含むが、本開示の内容はこれに限らない。簡単に言うと、コーナー構造２は、質感が筐体１と近い又は外観処理が容易で機械的性質が筐体１よりも優れた材料をコーナー構造２の外観面として選択し、コーナー構造２の弧状側辺２０は隣接する両側辺１１と切り揃えて筐体１を被覆する。このように、緩衝材料を筐体１のベゼルに凸設することによる美観問題を回避することができる。
【００１２】
図２を参照し、下ケース１ｂのＡＡ’断面線に沿った部分拡大模式図を示す。本実施例において、筐体１は、外面１２と、内面１３と、側面１４とを含む。内面１３と外面１２とは、対向して配置されて且つ互いに平行であり、側面１４は、外面１２及び内面１３にそれぞれ接続されており、側面１４は、筐体１とコーナー構造２が接触する支え面とされ、つまり、コーナー構造２の弧状側辺２０とは反対する側と筐体１の側面１４とは互いに嵌合されている。コーナー構造２は筐体１よりも高い強度係数の金属材質を採用し、衝撃を受けた時、筐体１との境界にある側面１４（即ち、支え面）に変形が発生するので、支え面が変形する分だけコーナー構造２が受けた外部衝撃のエネルギーを吸収して分散させることができる。また、側面１４は階層状曲面であり、つまり、側面１４は起伏する凹凸構造を複数有する。階層状曲面の設計により、支え面の総面積を増加させ、衝撃エネルギーを効果的に吸収することができる。図２、図５及び図６を併せて参照し、一部の実施例において、外面１２の面積は内面１３の面積よりも大きい。このように、階層状側面１４の形成に寄与する以外に、コーナー構造２が電子製品の外部に露出する面積を減少させ、生産コストを節約するとともに美観のベゼル設計を実現することができる。
【００１３】
上記構造によれば、落下試験での強度が弱い電子装置１００の筐体１のコーナーを耐衝撃コーナー構造２に置換し、コーナー部１０に嵌設されているコーナー構造２は、高強度、高弾性の金属材質を採用し、電子装置１００が受けた衝撃のエネルギーを効果的に吸収して筐体１の側面１４に伝達することができる。
【００１４】
以下、関連する派生実施例のコーナー構造を例示的に説明する。図３及び図４を併せて参照し、図４は、図３に示す電子装置のＢＢ’断面線に沿った部分拡大模式図である。本実施例において、電子装置１００は、上ケース１ａ及び下ケース１ｂを含む筐体１と、複数のコーナー構造２と、複数のプレート３とを有するノートパソコンである。プレート３は、台座、表示パネル又は飾板などであってもよいが、これに限らず、例えば、上ケース１ａに対向して配置されているプレート３は、表示パネル又はスクリーンベゼルであり、下ケース１ｂに対向して配置されているプレート３は熱伝導効果に優れた台座である。
【００１５】
図４〜図６を併せて参照し、本実施例において、筐体１の側面１４は嵌合凹溝１４０を有し、例を挙げると、嵌合凹溝１４０は、フライスプロセスにより成型可能であり、即ち、フライス溝である。コーナー構造２は弧状側辺２０とは反対する側に嵌合凹溝１４０に対応する嵌合凸部２１を有し、嵌合凸部２１は、側辺１１が位置する水平面と平行して延び、つまり、嵌合凸部２１の延伸方向は、プレート３と平行であり、コーナー構造２をコーナー部１０に嵌設させる。側面１４の嵌合凹溝１４０が凹凸表面を有するので、支え面の総接触面積を増加させ、衝撃エネルギーを効果的に吸収することができる。また、嵌合凹溝１４０の別の効果は、筐体１とコーナー構造２との結合部の曲げモーメントに耐え、結合素子４が外力を受けた時に耐えた引張応力を効果的に低減させることである。
【００１６】
本実施例において、筐体１の側面１４は位置決め凸部１４１を有し、位置決め凸部１４１は側辺１１が位置する水平面と平行して延び、つまり、位置決め凸部１４１の延伸方向はプレート３と平行である。コーナー構造２は、対応する位置決め凹溝２２を有する。これにより、側面１４の位置決め凸部１４１とコーナー構造２の位置決め凹溝２２とは互いに嵌合され、コーナー構造２をコーナー部１０に位置決めさせる。また、電子装置は少なくとも１つの結合素子４をさらに備え、例えば、締付けネジであるが、これに限らない。各結合素子４はコーナー構造２を貫通して筐体１に締め付けられる。例を挙げると、電子装置は、嵌合凸部２１の両側縁に設けられている結合素子４を２つ有し、コーナー構造２を筐体１とプレート３との間に固定し、コーナー構造２を筐体１に締め付けることにより、コーナー構造２をコーナー部１０に強固に嵌設できる。
【００１７】
以上をまとめると、本考案の一部の実施例は、主に高強度の複数のコーナー構造２を筐体１の衝突しやすいコーナー部１０に嵌設することで電子装置１００が受けた衝撃のエネルギーを効果的に吸収して筐体１の側面１４に伝達することができる電子装置１００を提供する。言い換えると、機構設計により、コーナー構造２と筐体１との間の支え面を内部に隠し、電子装置１００が受けた外部衝撃エネルギーを内部の支え面に伝達することで、支え面は、構造上で微変形が発生してコーナー構造２が受けた外部衝撃の衝撃エネルギーを吸収して分散させ、電子装置１００の外観完全性を維持する。これによって、電子装置１００の構造特徴に影響を与え、又はそれを変更し、筐体１の外観構造を保護する有利な効果を生じることができる。つまり、落下による筐体１の外観にくぼみが生じるなどの問題を回避しながら、筐体１全体の材料を高強度材料に変更することによる全体の重量の増加及び製品のコストアップなどの問題を回避することができる。全体的には、コーナー構造２の外観設計及び材料選択と、機構及び製品筐体１の設計とを組み合わせることで、従来の耐衝撃構造と比較すると、緩衝材料を接着剤で貼合することに起因する各種の部品の結合の信頼性リストを回避することができ、筐体全体を機械的性質に優れた高強度材料に変更する必要がなく、材料密度の増加により完成品がかさばって重くなることを回避することができる。また、コーナー構造２は、質感が筐体１と近い又は外観処理が容易で機械的性質が製品の筐体１よりも優れた材料をコーナー構造２の外観面として選択し、弧状側辺２０は隣接する側辺１１と切り揃えて筐体１を被覆する。このように、従来の緩衝材料で筐体１のベゼルを被覆することに起因する美観問題を改良することができる。
【００１８】
以上で説明した実施例は、本考案の技術的思想及び特徴を説明するためのものに過ぎず、目的は、業者が本考案の内容を理解して実施できることにあり、本考案の実用新案登録請求の範囲を限定するわけではなく、即ち、本考案に開示される精神による均等な変化又は修飾であれば、いずれも本考案の実用新案登録請求の範囲内に含まれるべきである。
【図１】
0003224106.tif 000003
【図２】
0003224106.tif 000004
【図３】
0003224106.tif 000005
【図４】
0003224106.tif 000006
【図５】
0003224106.tif 000007
【図６】
0003224106.tif 000008